(57)【要約】  本開示はＨＡＲＱ−ＡＣＫコードブックが準静的に設定される場合であってもＵＥの処理負荷の増大を抑制することを目的とする。本開示のユーザ端末の一態様は、下り共有チャネル（ＰＤＳＣＨ）を介して受信した下り送信に対する送達確認信号を送信する送信部と、自端末における所定領域内の下り共有チャネル受信能力と、前記所定領域内にスケジューリング可能な下り共有チャネル数とに基づいて、前記送達確認信号の情報量を制御する制御部と、を有する。
2019159298.tif 000002
【特許請求の範囲】
【請求項１】
下り共有チャネルを介して受信した下り送信に対する送達確認信号を送信する送信部と、
自端末における所定領域内の下り共有チャネル受信能力と、前記所定領域内にスケジューリング可能な下り共有チャネル数とに基づいて、前記送達確認信号の情報量を制御する制御部と、を有するユーザ端末。
【請求項２】
前記ＰＤＣＣＨ受信能力は前記所定領域内で受信可能な下り共有チャネル数を示し、
前記制御部は、前記受信可能な下り共有チャネル数と、前記スケジューリング可能な下り共有チャネル数との内、少ない数に対応するように送達確認信号の情報量を制御することを特徴とする請求項１に記載のユーザ端末。
【請求項３】
下り共有チャネルを介して受信した下り送信に対する送達確認信号を送信する工程と、
自端末における所定領域内の下り共有チャネル受信能力と、前記所定領域内にスケジューリング可能な下り共有チャネル数とに基づいて、前記送達確認信号の情報量を制御する工程と、を有する、ユーザ端末における無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上り共有チャネル（例えば、ＰＵＳＣＨ：Physical  Uplink  Shared  Channel）を用いて、上り制御情報（ＵＣＩ：Uplink  Control  Information）を送信する。当該上り制御チャネルの構成（フォーマット）は、ＰＵＣＣＨフォーマット等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（以下、単にＮＲとも記す）では、ユーザ端末が送達確認信号（ＨＡＲＱ−ＡＣＫ、ＡＣＫ／ＮＡＣＫ又はＡ／Ｎとも呼ぶ）のサイズを準静的（semi-static）又は動的（dynamic）に決定して送達確認信号のフィードバックを制御することが検討されている。ＨＡＲＱ−ＡＣＫのサイズは、コードブック、コードブックサイズ又はビット列サイズとも呼ばれる。【０００７】
ＨＡＲＱ−ＡＣＫコードブックを準静的に決定するモードが設定された場合、ＵＥは、上位レイヤシグナリングで通知される情報に基づいてフィードバックするＨＡＲＱ−ＡＣＫビットを固定的に決定する。例えば、ＵＥは、所定範囲でスケジューリングされる可能性がある全てのＤＬ送信（例えば、ＰＤＳＣＨ）に対するＨＡＲＱ−ＡＣＫに相当するコードブックで送信を行う。この場合、ＵＥは、所定範囲においてスケジューリングされないＰＤＳＣＨに対してはＮＡＣＫとしてフィードバックする。【０００８】
このように、スケジューリングされるＤＬ送信数に関わらずＨＡＲＱ−ＡＣＫコードブックを決定する場合、実際にスケジューリングされるＤＬ送信の数が少ない場合（例えば、１又は２つ）であっても、常に多くのＨＡＲＱ−ＡＣＫビット数を送信する必要がある。これにより、スケジューリングされるＤＬ送信数に関わらずＵＥは多くのＨＡＲＱ−ＡＣＫを生成する必要があるため、ＵＥの処理負荷が増加するし、スループットの低下及び／又は通信品質が劣化するおそれがある。【０００９】
そこで、本開示は、ＨＡＲＱ−ＡＣＫコードブックが準静的に設定される場合であってもＵＥの処理負荷の増大を抑制できるユーザ端末及び無線通信方法を提供することを目的の１つとする。
【課題を解決するための手段】
【００１０】
ユーザ端末の一態様は、下り共有チャネルを介して受信した下り送信に対する送達確認信号を送信する送信部と、自端末における所定領域内の下り共有チャネル受信能力と、前記所定領域内にスケジューリング可能な下り共有チャネル数とに基づいて、前記送達確認信号の情報量を制御する制御部と、を有する。
【発明の効果】
【００１１】
本発明によれば、ＨＡＲＱ−ＡＣＫコードブックが準静的に設定される場合であってもＵＥの処理負荷の増大を抑制できる。
【図面の簡単な説明】
【００１２】
【図１】スケジューリングされた複数のＰＤＳＣＨに応じたＡＣＫ／ＮＡＣＫフィードバックを説明するための図である。
【図２】図２Ａ、図２Ｂ、図２Ｃ、及び、図２Ｄは、１スロットにおけるＰＤＳＣＨスケジューリング例を示す図である。
【図３】ＰＤＳＣＨスケジューリングによるＰＤＳＣＨ候補を規定する表を示す図である。
【図４】１スロットにＵＬシンボルが設定されている場合の、ＰＤＳＣＨ候補の除外を説明するための図である。
【図５】ＡＣＫ／ＮＡＣＫビットを生成するにあたって、ナンバリングされたＰＤＳＣＨ候補を説明するための図である。
【図６】本実施の形態に係る無線通信システムの概略構成の一例を示す図である。
【図７】本実施の形態に係る無線基地局の全体構成の一例を示す図である。
【図８】本実施の形態に係る無線基地局の機能構成の一例を示す図である。
【図９】本実施の形態に係るユーザ端末の全体構成の一例を示す図である。
【図１０】本実施の形態に係るユーザ端末の機能構成の一例を示す図である。
【図１１】本実施の形態に係る無線基地局及びユーザ端末のハードウェア構成の一例を示す図である。
【発明を実施するための形態】
【００１３】
ＮＲでは、ユーザ端末がＨＡＲＱ−ＡＣＫサイズ（ＨＡＲＱ−ＡＣＫコードブック）を準静的（semi-static）又は動的（dynamic）に決定してＰＵＣＣＨを利用したＨＡＲＱ−ＡＣＫ送信を行うことが検討されている。例えば、基地局がＵＥに対して、ＨＡＲＱ−ＡＣＫコードブックの決定方法を上位レイヤシグナリングで通知する。
【００１４】
ＵＥは、ＨＡＲＱ−ＡＣＫコードブックを準静的に決定するモードが設定された場合（例えば、タイプ１と判定された場合）、上位レイヤシグナリングで設定される構成に基づいてＨＡＲＱ−ＡＣＫのビット数等を決定する。上位レイヤシグナリングで設定される構成（higher-layer  configuration）は、例えば、ＨＡＲＱ−ＡＣＫのフィードバックタイミングに関連付けられた範囲にわたってスケジューリングされるＤＬ送信（例えば、ＰＤＳＣＨ）の最大数であってもよい。
【００１５】
ＨＡＲＱ−ＡＣＫのフィードバックタイミングに関連付けられた範囲は、空間（space）、時間（time）及び周波数(freq)の少なくとも一つ（例えば、全部）に相当する。また、ＨＡＲＱ−ＡＣＫのフィードバックタイミングに関連付けられた範囲は、ＨＡＲＱ−ＡＣＫバンドリングウィンドウ、ＨＡＲＱ−ＡＣＫフィードバックウィンドウ、バンドリングウィンドウ又はフィードバックウィンドウとも呼ばれる。
【００１６】
一方で、ＵＥは、ＨＡＲＱ−ＡＣＫコードブックを動的に決定するモードが設定された場合（例えば、タイプ２と判定された場合）、下り制御情報（例えば、DL  assignment）に含まれるＤＬ割当てインデックス（ＤＡＩ：Downlink  Assignment  Indicator（Index））フィールドで指定されるビットに基づいてＨＡＲＱ−ＡＣＫビット数等を決定する。
【００１７】
また、ＮＲでは、ＨＡＲＱ−ＡＣＫの送信に利用する上り制御チャネル構成（ＰＵＣＣＨフォーマット）として、所定ビット数以下のＵＣＩ送信に利用するＰＵＣＣＨフォーマットと、所定ビット数より大きいＵＣＩの送信に利用するＰＵＣＣＨフォーマットがサポートされる。所定ビット数以下（例えば、２ビット以下（up  to  2bits））のＵＣＩ送信に利用するＰＵＣＣＨフォーマットは、ＰＵＣＣＨフォーマット０又はＰＵＣＣＨフォーマット１と呼ばれてもよい。所定ビット数より大きい（例えば、２ビットより大きい（more  than  2bits））ＵＣＩの送信に利用するＰＵＣＣＨフォーマットは、ＰＵＣＣＨフォーマット３−５と呼ばれてもよい。
【００１８】
図１は、ＰＵＣＣＨを利用したＨＡＲＱ−ＡＣＫのフィードバック制御の一例を示す図である。本例において「ＤＬ」又は「ＵＬ」が付された部分は所定のリソース（例えば、時間／周波数リソース）を示し、各部分の期間は任意の時間単位（例えば、１つ又は複数のスロット、ミニスロット、シンボル、又はサブフレームなど）に対応する。以降の例でも同様である。
【００１９】
図１の場合、ＵＥは、ＨＡＲＱ−ＡＣＫのフィードバックに関連づけられた所定範囲（バンドリングウィンドウ）においてスケジューリングされるＰＤＳＣＨ（ここでは、４つのＤＬリソース）に応じたＡ／Ｎを、所定の上り制御チャネルのリソース（ＰＵＣＣＨリソース）を用いて送信する。各ＰＤＳＣＨに対するＨＡＲＱ−ＡＣＫのフィードバックタイミングは、各ＰＤＳＣＨをスケジューリングする下り制御情報（ＤＬアサイメント）でＵＥに指定する構成としてもよい。
【００２０】
ＨＡＲＱ−ＡＣＫコードブックを準静的に決定するモード、すなわち、ＵＥにおいてタイプ１が判定（determine）された場合、ＵＥは、所定範囲（バンドリングウィンドウ）でスケジューリングされる可能性がある全てのＰＤＳＣＨに対するＨＡＲＱ−ＡＣＫを考慮したビット数でＨＡＲＱ−ＡＣＫのフィードバックを行う。つまり、ＵＥは、スケジューリングされるＰＤＳＣＨの数又はＰＤＳＣＨをスケジューリングするＤＣＩの数に関わらず、上位レイヤパラメータに従ってあらかじめ計算されたコードブックサイズに基づいてＨＡＲＱ−ＡＣＫフィードバックを制御する。
【００２１】
具体的には、ＵＥは、バンドリングウィンドウに含まれるＰＤＳＣＨが全てスケジューリングされたと仮定し、すべてのＰＤＳＣＨに対するＨＡＲＱ−ＡＣＫビットを生成する。これにより、スケジューリングされるＰＤＳＣＨの数又はＰＤＳＣＨをスケジューリングするＤＣＩの数に寄らずＨＡＲＱ−ＡＣＫコードブックを準静的に設定することができる。
【００２２】
上述のように、ＨＡＲＱ−ＡＣＫサイズ（ＨＡＲＱ−ＡＣＫコードブック）を準静的（semi-static）又は動的（dynamic）に決定してＨＡＲＱ−ＡＣＫ送信を行うことが検討されている一方で、ＵＥに設定される端末能力が様々であることを考慮することが求められている。
【００２３】
ＵＥによっては、例えば、１スロットのバンドリングウィンドウにおいて、受信できるＰＤＳＣＨ（ＰＤＳＣＨ候補）が１つに限定されていることも考えられる。このようなＵＥにおいては、ＵＥにおいてタイプ１が判定（determine）された場合（ＨＡＲＱ−ＡＣＫコードブックの準静的な決定）、スケジューリングされる可能性がある全てのＰＤＳＣＨに対するＨＡＲＱ−ＡＣＫを考慮したビット数でＨＡＲＱ−ＡＣＫのフィードバックを行うことは不必要な処理の増加を導き、端末の消費電力を不要に増加することにつながる。
【００２４】
本願発明者等は、このような事情に鑑みて、ユーザ端末の端末能力を考慮したＡＣＫ／ＮＡＣＫフィードバック制御に着想した。例えば、ユーザ端末の端末能力に基づいて、ＡＣＫ／ＮＡＣＫビット数を制御する。
【００２５】
ユーザ端末の端末能力（例えば、バンドリングウィンドウにおける受信可能なＰＤＳＣＨの数）に基づいた、ＡＣＫ／ＮＡＣＫビットを生成することで、不必要なＡＣＫ／ＮＡＣＫビット生成処理を防止し、ＵＥのバッテリ消費を抑えることができる。また、ユーザ端末と無線基地局（ｇＮＢ）間で、ＡＣＫ／ＮＡＣＫフィードバックを適切に行うことができる。
【００２６】
以下、本開示の実施形態について詳細に説明する。
【００２７】
以下の実施形態において、ＨＡＲＱ−ＡＣＫは、ＵＣＩで読み替えられてもよいし、スケジューリング要求（ＳＲ：Scheduling  Request）、チャネル状態情報（ＣＳＩ：Channel  State  Information）などの他のタイプのＵＣＩで読み替えられてもよい。また、本明細書において、「データ」、「データチャネル（例えばＰＵＳＣＨ）」、「データチャネルのリソース」などは、相互に読み替えられてもよい。
【００２８】
＜ＰＤＳＣＨ候補のナンバリング＞
先ず、ＡＣＫ／ＮＡＣＫビット数の決定方法の説明に先立って、所定のバンドリングウィンドウにおいて、スケジューリング可能なＰＤＳＣＨ候補のナンバリングについて図面を参照して説明する。なお、バンドリングウィンドウは、一例として、１４シンボルで構成される１スロットを仮定する。
【００２９】
＜＜ＰＤＳＣＨ候補＞＞
図２Ａ−図２Ｄは、１スロットにおけるＰＤＳＣＨ候補の例を示す。図２Ａに示される例では、３つのＰＤＳＣＨ候補（スロット＃２−＃５、スロット＃６−＃９、スロット＃１０−＃１３）が割り当てられている。図２Ｂに示される例では、１スロットにわたって１つのＰＤＳＣＨ候補（＃０−＃１３）が割り当てられている。
【００３０】
図２Ｃに示される例では、１つのＰＤＳＣＨ候補（＃１−＃１０）が割り当てられている。図２Ｄに示される例では、７つのＰＤＳＣＨ候補（＃０−＃１、＃２−＃３、＃４−＃５、＃６−＃７、＃８−＃９、＃１０−＃１１、＃１２−＃１３）が割り当てられている。
【００３１】
図２Ａ−図２Ｄに示されるＰＤＳＣＨ候補は、例えば、図３に示されるテーブル形式の情報で、無線基地局からユーザ端末に通知される。通知にあたっては、Ｌ１シグナリング（ＲＲＣシグナリング）を用いてもよい。
【００３２】
各ＰＤＣＣＨ候補には、ＤＣＩ指標（indication）が割り当てられている。ＰＤＳＣＨ候補は、スロットオフセットＫ０（ＤＣＩスロットタイミングＫ１）、スタートシンボル番号、長さ（レングス）、マッピングタイプで規定される。
【００３３】
マッピングタイプは、スロットを時間単位としたマッピングと、スロットと異なる時間を単位としたマッピングを規定する。例えば、ミニスロットは、スロットよりも短い時間単位である。ミニスロットは、スロットよりも少ない数のシンボル（例えば、１〜（スロット長−１）シンボル、一例として２又は３シンボル）で構成されてもよい。スロット内のミニスロットには、スロットと同一のニューメロロジー（例えば、サブキャリア間隔及び／又はシンボル長）が適用されてもよいし、スロットとは異なるニューメロロジー（例えば、スロットよりも高いサブキャリア間隔及び／又はスロットより短いシンボル長）が適用されてもよい。
【００３４】
例えばミニスロットは、２、４、または７シンボルで構成され、スタートシンボル位置を柔軟に設定することができるＰＤＳＣＨまたはＰＵＳＣＨとしてもよい。一方、ミニスロットでないＰＤＳＣＨは、スタートシンボル位置がスロット内の第０〜３シンボルであり、所定のシンボル長以上のＰＤＳＣＨであるとしてもよい。また、ミニスロットでないＰＵＳＣＨは、スタートシンボル位置がスロット内の第０シンボルであり、所定のシンボル長以上のＰＵＳＣＨであるとしてもよい。
【００３５】
ミニスロットでないＰＤＳＣＨおよびＰＵＳＣＨは、ＰＤＳＣＨ／ＰＵＳＣＨマッピングタイプＡ、ミニスロットのＰＤＳＣＨおよびＰＵＳＣＨは、ＰＤＳＣＨ／ＰＵＳＣＨマッピングタイプＢと呼ばれてもよい。また、ＰＤＳＣＨ／ＰＵＳＣＨのマッピングタイプに応じて、異なる位置にＤＭＲＳが挿入されるものとしてもよい。さらに、いずれのマッピングタイプのＰＤＳＣＨ／ＰＵＳＣＨとするかは、ＲＲＣ等上位レイヤシグナリングによって設定されるものとしてもよいし、ＤＣＩによって通知されるものとしてもよいし、両者の組み合わせによって認識されるものとしてもよい。
【００３６】
＜＜スケジューリング要素の除外＞＞
上記ＰＤＳＣＨ候補について、ＤＬ／ＵＬ構成が考慮される。具体的には、ＤＬ／ＵＬ構成において、ＵＬに設定されているシンボルが考慮される。無線基地局（ｇＮＢ）では、ＵＬに指定されたスロットを用いて（オーバーラップして）、ＰＤＳＣＨをスケジューリングすることはできない。したがって、ＵＬに設定されたシンボルを含んだＰＤＳＣＨ候補は、スケジューリング対象から除外することができる。
【００３７】
図４は、ＰＤＳＣＨ候補を除外する例を示している。ここでは、図２Ａ−図２Ｄに示されるＰＤＣＣＨ候補において、スロット＃１３がＵＬに設定されると仮定する（図４の上部図面）。このため、スロット＃１３を含んだＰＤＳＣＨ候補はスケジューリング対象から外すことができる（図４の下部図面）。
【００３８】
＜＜ナンバリング＞＞
次に、スケジューリングされる可能性のあるＰＤＳＣＨ候補に対して、ナンバリングが行われる。例えば、以下のアルゴリズムにしたがってナンバリングを行うことができる。
【００３９】
先ず、先頭のＰＤＳＣＨ候補に「０」を割り振る（図５の上から４番目に示されるスロットにおける最初のＰＤＳＣＨ候補）。この後、先頭のＰＤＳＣＨ候補における一番最後のシンボル（エンドシンボル）を基準に、それよりも前にスタートシンボル位置があるＰＤＳＣＨ候補が存在する場合、同じく「０」を割り振る（図５の上から３番目に示されるスロットにおけるＰＤＳＣＨ候補）。
【００４０】
次に、ナンバリングされていないＰＤＳＣＨ候補において、エンドシンボルの早いＰＤＳＣＨ候補を探し、これに「１」を割り振る（図５の上から４番目に示されるスロットにおけるＰＤＣＣＨ候補）。さらに、「１」が割り振られたＰＤＳＣＨ候補におけるエンドシンボルを基準に、それよりも前にスタートシンボルがあるＰＤＳＣＨ候補が存在する場合、同じく「１」を割り振る（図５の上から１番目に示されるスロットにおけるＰＤＳＣＨ候補）。
【００４１】
このようなナンバリングを繰り返し行い、スケジューリングの可能性のある全てのＰＤＳＣＨ候補に対して番号を割り振る（図５参照）。このようなナンバリングの結果、同じ番号が割り振られるＰＤＳＣＨ候補が発生する。同じ番号が割り振られたＰＤＳＣＨ候補については同時にスケジューリングされないものと想定する。したがって、図５に示される例では、スケジューリングされるＰＤＳＣＨ候補の数が最大「６」となる。
【００４２】
＜ＡＣＫ／ＮＡＣＫビット数の決定方法＞
次に、ＡＣＫ／ＮＡＣＫビット数の決定方法について説明する。ここで変数Ｎは、１スロットにおいてユーザ端末が受信可能なＰＤＳＣＨ（ＰＤＳＣＨ候補）の最大数を示す。また、変数Ｍは、上記ナンバリングにより求められた、スケジューリング可能なＰＤＳＣＨ候補の最大数を示す。
【００４３】
ＵＥは、Ｎ，Ｍの内の最小の数値をＨＡＲＱ−ＡＣＫビット数と決定する。これにより、ＨＡＲＱ−ＡＣＫコードブックが準静的に設定される場合であってもＵＥの処理負荷の増大を抑制できる。
【００４４】
例えば、１スロットにおいて、受信できるＰＤＳＣＨ（ＰＤＳＣＨ候補）が１つの端末能力を有するＵＥでは、Ｎ＝１となる。このため、図５に示されるようにナンバリングが行われた場合であっても（１スロットでスケジューリングされるＰＤＳＣＨ候補の最大数が６であっても）、決定されるＡＣＫ／ＮＡＣＫビット数は１となる。これにより、不必要なＡＣＫ／ＮＡＣＫビット生成処理を防止し、ＵＣＩフィードバックにかかるオーバーヘッドを削減でき、さらに送信電力も抑圧できることから、ＵＥのバッテリ消費を抑えることができる。また、ユーザ端末と無線基地局（ｇＮＢ）間で、ＡＣＫ／ＮＡＣＫフィードバックを適切に行うことができる。
【００４５】
上記変数Ｎは、１スロットにおいてユーザ端末が受信可能なＰＤＳＣＨの数を示す自然数であってもよいが、変数Ｎを１ビットで構成し、受信可能なＰＤＳＣＨの数が１、又は、それよりも多い数、を示すように設定してもよい。これにより前記Ｎを通知するために必要なシグナリングのオーバーヘッドを削減できる。
【００４６】
また、ユーザ端末が受信可能なＰＤＳＣＨの数は、端末能力（UE capability）として予め無線基地局（ｇＮＢ）に通知されてもよい。例えば、初期アクセスやＲＲＣ接続手順、ＲＲＣ再構成の一環として、ＵＥからｇＮＢに通知されてもよい。
【００４７】
また、１スロットにおいて、受信できるＰＤＳＣＨ（ＰＤＳＣＨ候補）が１つの端末能力を有するＵＥについては、１４シンボルのＰＤＳＣＨ候補（図２Ｂ）と２シンボルのＰＤＳＣＨ候補（図２Ｄに示されるいずれかのＰＤＳＣＨ候補）のみをＲＲＣで設定し、これをダイナミックに切り替えてもよい。
【００４８】
また、上述した本実施形態を、ＨＡＲＱ−ＡＣＫコードブックを動的に決定するモードが設定された場合（タイプ２と判定された場合）に適用してもよい。この場合、ＵＥでは、予め通知したＵＥの端末能力に基づき、スロットあたりスケジューリングされ得るＰＤＳＣＨの最大数と、生成すべきＡＣＫ／ＮＡＣＫの最大ビット数を算出することができる。
【００４９】
この場合、例えば当該スロットにおいてスケジューリングされ得るＰＤＳＣＨの最大数を超える割り当てを検出した場合には、少なくとも一部のＰＤＳＣＨをスケジューリングするＤＣＩの誤検出が発生している可能性が高いことから、当該スロットにスケジューリングされ得るＰＤＳＣＨの最大数に対応するＡＣＫ／ＮＡＣＫビットをすべてＮＡＣＫとして生成することで、誤検出分のＡＣＫ／ＮＡＣＫ生成を行うことで生じるｇＮＢとＵＥの間でのコードブックサイズ認識の不一致を防ぐことができる。
【００５０】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【００５１】
図６は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【００５２】
図６に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【００５３】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【００５４】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【００５５】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【００５６】
また、各セル（キャリア）では、単一のニューメロロジーが適用されてもよいし、複数の異なるニューメロロジーが適用されてもよい。
【００５７】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００５８】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００５９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００６０】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【００６１】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【００６２】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【００６３】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【００６４】
無線通信システム１では、ＤＬチャネルとして、各ユーザ端末２０で共有される下り共有チャネル（ＰＤＳＣＨ：Physical  Downlink  Shared  Channel、ＤＬデータチャネル、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【００６５】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【００６６】
無線通信システム１では、ＵＬチャネルとして、各ユーザ端末２０で共有されるＵＬ共有チャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【００６７】
＜無線基地局＞
図７は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【００６８】
ＤＬにより無線基地局１０からユーザ端末２０に送信されるユーザデータは、上位局装置３０から伝送路インターフェース１０６を介してベースバンド信号処理部１０４に入力される。
【００６９】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【００７０】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【００７１】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００７２】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【００７３】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【００７４】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【００７５】
また、送受信部１０３は、ユーザ端末２０に対してＤＬ信号（ＤＬデータ信号、ＤＬ制御信号、ＤＬ参照信号の少なくとも一つを含む）を送信し、当該ユーザ端末２０からのＵＬ信号（ＵＬデータ信号、ＵＬ制御信号、ＵＬ参照信号の少なくとも一つを含む）を受信する。
【００７６】
また、送受信部１０３は、上り共有チャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、ＰＤＳＣＨに対するＡＣＫ／ＮＡＣＫ（送達確認信号）を含んでもよい。
【００７７】
また、送受信部１０３は、スケジューリングされ得るＰＤＳＣＨ候補に関する情報をＲＲＣシグナリングなどのＬ１シグナリングでＵＥに送信してもよい。また、下り制御情報（例えば、DL  assignment）に含まれるＤＬ割当てインデックス（ＤＡＩ：Downlink  Assignment  Indicator（Index））フィールドＨＡＲＱ−ＡＣＫビット数等を通知してもよい。
【００７８】
図８は、本実施の形態に係る無線基地局の機能構成の一例を示す図である。なお、図８は、本実施の形態における特徴部分の機能ブロックを主に示しており、無線基地局１０は、無線通信に必要な他の機能ブロックも有しているものとする。図８に示すように、ベースバンド信号処理部１０４は、制御部３０１と、送信信号生成部３０２と、マッピング部３０３と、受信信号処理部３０４と、測定部３０５とを備えている。
【００７９】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【００８０】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、ＤＬデータ及び／又は上り共有チャネルのスケジューリング及び／又は再送制御を行ってもよい。
【００８１】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【００８２】
また、制御部３０１は、スケジューリングされ得るＰＤＳＣＨ候補に関する情報をＲＲＣシグナリングなどのＬ１シグナリングでＵＥに送信するように受信信号処理部３０４を制御してもよい。また、下り制御情報（例えば、DL  assignment）に含まれるＤＬ割当てインデックス（ＤＡＩ：Downlink  Assignment  Indicator（Index））フィールドＨＡＲＱ−ＡＣＫビット数等を通知するように、受信信号処理部３０４を制御してもよい。また、ＵＥからＵＥの所定領域内のＰＤＳＣＨ受信能力を受信してもよい。
【００８３】
制御部３０１は、上り制御チャネルのフォーマットに基づいて、ユーザ端末２０からのＵＣＩの受信処理を行うように、受信信号処理部３０４を制御してもよい。
【００８４】
制御部３０１は、本発明に係る技術分野での共通認識に基づいて説明されるコントローラ、制御回路又は制御装置から構成することができる。
【００８５】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【００８６】
送信信号生成部３０２は、本発明に係る技術分野での共通認識に基づいて説明される信号生成器、信号生成回路又は信号生成装置とすることができる。
【００８７】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【００８８】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【００８９】
測定部３０５は、受信した信号に関する測定を実施する。測定部３０５は、本発明に係る技術分野での共通認識に基づいて説明される測定器、測定回路又は測定装置から構成することができる。
【００９０】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【００９１】
＜ユーザ端末＞
図９は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【００９２】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【００９３】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【００９４】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【００９５】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【００９６】
また、送受信部２０３は、ユーザ端末２０に設定されたニューメロロジーのＤＬ信号（ＤＬデータ信号、ＤＬ制御信号（ＤＣＩ）、ＤＬ参照信号を含む）を受信し、当該ニューメロロジーのＵＬ信号（ＵＬデータ信号、ＵＬ制御信号、ＵＬ参照信号を含む）を送信する。送受信部２０３は、例えば、上述の第１−第３の態様におけるスケジューリングにしたがって、ＵＬ信号を送信してもよい。ＵＬ信号の送信にあたっては、スロット、ミニスロット単位で送信を行ってもよい。
【００９７】
また、送受信部２０３は、上り共有チャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【００９８】
また、送受信部２０３は、Ｍ個のＰＵＣＣＨリソースをそれぞれ含むＫ個のＰＵＣＣＨリソースセットを示す情報を受信してもよい。また、送受信部２０３は、上位レイヤ制御情報（上位レイヤパラメータ）を受信してもよい。
【００９９】
また、送受信部２０３は、スケジューリングされ得るＰＤＳＣＨ候補に関する情報をＲＲＣシグナリングなどのＬ１シグナリングで受信してもよい。また、下り制御情報（例えば、DL  assignment）に含まれるＤＬ割当てインデックス（ＤＡＩ：Downlink  Assignment  Indicator（Index））フィールドＨＡＲＱ−ＡＣＫビット数等を受信してもよい。
【０１００】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１０１】
図１０は、本実施の形態に係るユーザ端末の機能構成の一例を示す図である。なお、図１０においては、本実施の形態における特徴部分の機能ブロックを主に示しており、ユーザ端末２０は、無線通信に必要な他の機能ブロックも有しているものとする。図１０に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１０２】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１０３】
また、制御部４０１は、無線基地局１０からの明示的指示又はユーザ端末２０における黙示的決定に基づいて、ユーザ端末２０からのＵＣＩの送信に用いる上り制御チャネルを制御する。また、制御部４０１は、当該ＵＣＩの送信を制御する。
【０１０４】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。また、制御部４０１は、フォールバックに関する情報に基づいて、ＵＣＩの送信に用いるＰＵＣＣＨフォーマット（上りリンク制御チャネルのフォーマット）を制御してもよい。
【０１０５】
また、制御部４０１は、上述の実施形態にしたがった、ＰＤＣＣＨ候補のナンバリング、ＡＣＫ／ＮＡＣＫビット数の決定を行うように制御してもよい。制御部３０１は、スケジューリングされ得るＰＤＳＣＨ候補に関する情報をＲＲＣシグナリングなどのＬ１シグナリングで受信するように受信信号処理部４０４を制御してもよい。また、下り制御情報（例えば、DL  assignment）に含まれるＤＬ割当てインデックス（ＤＡＩ：Downlink  Assignment  Indicator（Index））フィールドＨＡＲＱ−ＡＣＫビット数等を受信するように、受信信号処理部４０４を制御してもよい。また、ＵＥからＵＥの所定領域内のＰＤＳＣＨ受信能力を通知してもよい。
【０１０６】
制御部４０１は、自端末における所定領域内のＰＤＳＣＨ受信能力と、前記所定領域内にスケジューリング可能なＰＤＳＣＨ数とに基づいて、ＰＤＳＣＨを介して受信した下り送信に対する送達確認信号の情報量を制御してもよい。
【０１０７】
ＰＤＣＣＨ受信能力は前記所定領域内で受信可能なＰＤＳＣＨ数を示してもよい。また、制御部４０１は、受信可能なＰＤＳＣＨ数と、スケジューリング可能なＰＤＳＣＨ数との内、少ない数に対応するように送達確認信号の情報量を制御してもよい。
【０１０８】
制御部４０１は、本発明に係る技術分野での共通認識に基づいて説明されるコントローラ、制御回路又は制御装置から構成することができる。
【０１０９】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１１０】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０１１１】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０１１２】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１１３】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１１４】
測定部４０５は、本発明に係る技術分野での共通認識に基づいて説明される信号処理器、信号処理回路又は信号処理装置、並びに、測定器、測定回路又は測定装置から構成することができる。
【０１１５】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１１６】
例えば、本発明の一実施形態における無線基地局、ユーザ端末などは、本発明の無線通信方法の処理を行うコンピュータとして機能してもよい。図１１は、本発明の一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１１７】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１１８】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１１９】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１２０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１２１】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１２２】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１２３】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１２４】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１２５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１２６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１２７】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１２８】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１２９】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１３０】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１３１】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１３２】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１３３】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１３４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１３５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１３６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１３７】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１３８】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１３９】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１４０】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１４１】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１４２】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１４３】
また、情報、信号などは、上位レイヤから下位レイヤ、及び／又は下位レイヤから上位レイヤへ出力され得る。情報、信号などは、複数のネットワークノードを介して入出力されてもよい。
【０１４４】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１４５】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１４６】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１４７】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１４８】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１４９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５０】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１５１】
本明細書において使用する「システム」及び「ネットワーク」という用語は、互換的に使用され得る。
【０１５２】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０１５３】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１５４】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０１５５】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１５６】
基地局及び／又は移動局は、送信装置、受信装置などと呼ばれてもよい。
【０１５７】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１５８】
同様に、本明細書におけるユーザ端末は、無線基地局で読み替えてもよい。この場合、上述のユーザ端末２０が有する機能を無線基地局１０が有する構成としてもよい。
【０１５９】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１６０】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１６１】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１６２】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１６３】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１６４】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１６５】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０１６６】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０１６７】
本明細書において、「ＡとＢが異なる」という用語は、「ＡとＢが互いに異なる」ことを意味してもよい。「離れる」、「結合される」などの用語も同様に解釈されてもよい。
【０１６８】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１６９】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019159298.tif 000003
【図２】
2019159298.tif 000004
【図３】
2019159298.tif 000005
【図４】
2019159298.tif 000006
【図５】
2019159298.tif 000007
【図６】
2019159298.tif 000008
【図７】
2019159298.tif 000009
【図８】
2019159298.tif 000010
【図９】
2019159298.tif 000011
【図１０】
2019159298.tif 000012
【図１１】
2019159298.tif 000013
【国際調査報告】
2019159298.tif 000014
2019159298.tif 000015
2019159298.tif 000016
2019159298.tif 000017